(57)【特許請求の範囲】
【請求項１】
女性用生理用のタンポンを含む後端部に回復テープを持つ実質的に気密性の個別パック（１００）であって、該パックは前記個別のタンポンを含み且つ個別タンポンパックの周囲に設けられた包装を開放するための手段を有する包装材料からなり、該手段が少なくとも一つの虚弱線（２３；９２；１０２；１１０；１１８；１２６；１３２；１４６；１４８；１６２；１７６；２０４）によって用意されており、該少なくとも一つの虚弱線は、一列のエンボス又は凹みである虚弱点（２２；２５；２７；３６；４４；６４；６６；７２；７８；８２；１３６；１５０；１５２）であって、該包装材料はこれらの虚弱点に沿って変化する厚みを有しており、それによって該虚弱点は、虚弱点の列の両側に位置付けられた包装の部分（Ａ，Ｂ）に働きかけることによって、包装を開放するために、本質的に静寂に包装材料の残留物を出さずに虚弱線を破壊するまで、該タンポンの気密な衛生的に満足できる包装を保持することを特徴とする個別パック。
【発明の詳細な説明】
【０００１】
【産業上の利用分野】
本発明は、生産されたパックを開放するために順次に距離をあけて配置された虚弱点から成る少なくとも一つの虚弱線を有する包装材料に関する。
【０００２】
この形式の包装材料は、例えば、独国実用新案９１  ０７  ９５４．３Ｕ１．から周知である。それは、膨張圧力下で押圧されたナプキンパンツの如く、セルロース含有衛生物品の包装用の袋を作るために使用されたたわみプラスチックホイルから成る。材料の薄化は可能であると考えられるが、虚弱線は、好ましくは、互いにオフセットされた個々の傾斜又はたるき状穴の形式における穿孔から成る。同時に、包装袋のオリフィスにおける初期引裂き領域は、残りの虚弱線よりも容易に引裂かれるように穿孔される。
【０００３】
衛生物品、特に、女性用生理用品のタンポンの包装のために、包装材料としてのセロハンの使用が、独国公開１、９６２、７３３から公知である。セロハンは、のりで被覆され、そして包装筒が巻上げられ、タンポンを続いて収容するために一方の端部において閉じられる前に、縦切込みが、のり被覆点の近傍において作られる。パックを開放するための取手が、互いに隣接して位置する２つの縦切込みの後端のすぐ前方で包装材料を切通すことにより設けられる。
【０００４】
日用品のためのパックにおいて、パックを確実に、所望ならば、パックの内容物が汚染されるのを防止するために比較的長い期間気密して、閉鎖しなければならないクロージャーが非常に高く要望される。対応する要望はまた、包装材料自体に為され、とりわけセロハンが、適切であることが立証されている。他方、パックの迅速かつ信頼性のある開放が、大量消費の大量生産日用品のためのこの形式のパックにおける必要な前提条件であるために、そのようなパックは、長年の間、開放が望まれる点において穿孔を設けられた。そのような穿孔は、空気流入の結果として、さらに、空気に含まれた水蒸気の流入の結果として、少なくとも部分的に親水性材料から成るパック内容物の膨張を許容する。さらに、穿孔は、しばしば、曲げ応力に関して虚弱性を有する。上記の理由のために、パックの気密溶接を許容する包装材料が、ますます使用されている。これに関連して、パックを開放するためのノッチ線と引裂開条片の準備が、公知になった。これらのパックの生産は、材料の使用の増大と製造費における高い支出を必要とする。さらに、この形式のパックの開放は、しばしば、困難であり、時間を消費する。というのは、引裂開条片は、パックの表面から引き上げられず、しばしばパックに付着さえし、このため、消費者によって常に見附られて即座に引き離されるわけではない。
【０００５】
穿孔から成る虚弱線に沿ったセロハンパックの開放は、しばしば亀裂に類似した騒々しい雑音を伴う。半奢侈品であるが、例えば、女性用生理用品であるタンポン等の衛生物品の如く日用品のためのパックにおいて、この雑音の発生は、望ましくなく、しばしば当惑する。
【０００６】
このため、発明が基づく目的は、衛生物品又は菓子等の半奢侈品の如く、大量生産物品のためのパックに対して、できる限り少量の包装材料しか必要としないように、上記の公知の一般形式の包装材料を改良することである。同時に、パックは、できる限り静寂かつ慎重に、包装材料の残留物のない方法で、容易に開放できるが、それにも拘わらず、曲げ及び衝撃応力に関して比較的安定であることである。
【０００７】
発明は、虚弱線が、可変材料強度の虚弱点を有し、そのため、虚弱線が本質的に静寂に、包装材料の残留物のない方法で、破壊されることにおいて、この目的を達成する。縮小強度ゾーンが、各個別虚弱点において設けられる。これらの縮小強度ゾーンは、各虚弱点が、最初に軽く、それから重く、続いて軽く虚弱線の方向及び／又は横断方向において打出しにされるように設計される。虚弱線の特に静寂で残留物のない破壊は、縮小強度ゾーンが、連続かつ漸次に相互につながるように設計されるならば、達成される。同時に、虚弱点は、包装材料の上側と下側に設けられる。
【０００８】
発明のさらに他の実施態様により、虚弱点がウェブによって分離された少なくとも一つの虚弱線を設けられた包装材料の場合に、虚弱点間の個々のウェブの可変サイズが設けられる。虚弱線の一つの方向におけるウェブサイズの連続変形が、このために好ましい。適切ならば、虚弱線の一方向において連続的にそのサイズが増減するウェブを有する虚弱線の複数の相互隣接長部分が設けられる。虚弱点は、同一又は可変長において、及び／又はパターンの形式において配置される。発明により、虚弱線の特に都合の良い形態において、その虚弱線は、打出しにより作られる。しかし、包装材料と虚弱線を作るために及ぼされた圧力の形式により、パックの気密性及び／又は衛生に関する要求条件が緩和されるならば、虚弱点はまた、包装材料の穿孔間が可変次元のウェブとして設計される。
【０００９】
さらに、包装材料は、打出しを設けられ、包装材料から生産されたパックの把持又は取扱い及び／又は特性を改良する打出しを設けられる。この目的のために、包装材料はまた、被覆される。それが外側において被覆されるならば、外側層は、粗ラッカーから成り、同様に材料の取扱いと気密性を改良するために役立つ。しかし、包装材料はまた、さらに、パック内容物の気密封入及び／又はパック内容物の容易な抽出のために役立つ内側被覆を有する。さらに、該被覆はまた、さらに、パックが開放される時、雑音の減衰に寄与する。
【００１０】
発明により、セロハンと生物学的に劣化性のプラスチックホイルが、包装材料として好ましい。同時に、包装材料は、１０〜６０ミクロンの厚さを有する。少なくとも１０ミクロンの厚さが好ましいが、せいぜい２０ミクロンに相当する厚さが、最も好ましい。
【００１１】
発明による包装材料は、衛生物品、特に、女性用生理用品のタンポンのための個別パックとして、特に適切である。これは、発明による包装材料によるこの形式の物品の包装が、パックの所望の慎重で、静寂かつ残留物のない開放を許容するが、パックにおける物品は、開放されるまで、汚染と水蒸気の流入から保護されるためである。
【００１２】
発明はまた、少なくとも一つの虚弱線の少なくとも縦方向において、互いに距離をあけて配置した虚弱点を設けられた包装材料を生産するためのプロセスに関する。プロセスは、虚弱点が可変材料強度を有することを特徴とする。
【００１３】
最後に、本発明はまた、包装材料を生産し、上記のプロセスを実施するための装置に関し、装置は、その外側縁に虚弱用部材を設けられた回転可能な円形虚弱用ディスクを特徴とし、虚弱用ディスクは、包装材料の走行方向において回転可能なカウンターローラーを割り当てられ、包装材料が少なくとも一つの虚弱線を作るために移動される間隙を虚弱用ディスクにより形成する。虚弱線とカウンターローラーは、自由回転可能に取り付けられ、包装材料が一方の側のみに虚弱点を設けられる時、間隙を通して移動される包装材料のウェブによって駆動される。対照的に、包装材料が両側において包装材料を打出すことにより作られる虚弱点を設けられた時、虚弱用ディスクとカウンターローラーの同期駆動が、推奨される。
【００１４】
発明は、包装材料と包装材料における虚弱線を作るために適する装置とプロセスの多数の例示の実施態様の概略図により以下に詳細に記載される。
【００１５】
【実施例】
図１は、虚弱線２３を有する包装材料２１の特に好ましい実施態様を示す。虚弱線２３は、ウェブ２９によって交互順次に等間隔に形成配置された複数の虚弱点２５、２７から成る。虚弱点２５は、虚弱点２７とは別様に設計される。各虚弱点２５は、虚弱点２７の各々よりもより長く延びていることは明らかである。しかし、虚弱点２５、２７の幅は、ほぼ等しくされる。しかし、必要ならば、一つの以上の虚弱点の幅はまた、可変であるように選ばれる。虚弱点２５、２７の間のウェブ２９により、虚弱線２３は、虚弱線２３の縦方向を横断する曲げ応力に強くなることは明らかである。同時に、包装材料２１が、切通されずに、単に打出しにされた虚弱点２５は、包装材料から成るパックを開放する目的のために、虚弱線２３の非常に静寂な破壊まで、物品の気密で衛生上満足される包装を保証する。
【００１６】
図２は、虚弱線２３による包装材料２１の縦断面を示す。包装材料２１は、上側３１と下側３３を有する。長い虚弱点２５は、虚弱点２５の底部を形成する円弧の形式において縦プロフィル３５を有する。縦プロフィル３５の２つの端部３７、３９は、それぞれ、包装材料２１の上側３１の平面に鋭角で次第に併合する。虚弱点２５の底部は、全長にわたって同一幅である。しかし、適切ならば、ここでもまた虚弱点の底部の幅は可変である。
【００１７】
虚弱点２５と対照的に、各虚弱点２７は、浅い略垂直のへこみ４３、４５による２つの端部の各々において開始し、終端する縦プロフィル４１を有する。これらのへこみ４３、４５の下方端部においてのみ、縦プロフィル４１は、円弧の形状に併合する。虚弱点２５、２７が包装材料２１を打出すことにより生成されるならば、対向力が虚弱線２３の両側にある包装材料に及ぼされた時、短い虚弱点２７のへこみ４３、４５の領域における包装材料２１の構造は、長い虚弱点２５の領域におけるよりも、早期に破壊される。虚弱点２７がより短いために、破壊力はまた、長い虚弱点２５の領域におけるよりも、へこみ４３、４５の位置においてより早く効力を生ずる。虚弱点２５、２７の深さは、本質的に同一であり、例えば、包装材料２１の厚さの２／３に相当する。
【００１８】
しかし、適切ならば、虚弱点２５、２７の深さはまた、虚弱線の破壊中も雑音を発生させないために、包装材料の材料強度のずっと大きな差異が、虚弱点において望まれるならば、変化する。この形態は、プラスチックホイル又はセロハンからできた包装材料のために適する。
【００１９】
図３は、長い虚弱点２５の横プロフィル４７を示す。横プロフィル４７は、Ｕ形状溝に本質的に対応し、図２に縦プロフィル３５によって形成された底部４９を有する。側壁５１、５３は、包装材料２１の上側３１の方に開く鋭角を形成する。上側３１と側壁５１、５３によって形成した溝形横プロフィル４７の上縦縁は、使用された包装材料２１の性質により「丸い」遷移を許容する。記載された例示の実施態様と対照して、必要ならば、各虚弱点は、異なる幅で虚弱な材料を有する。さらに、適切ならば、異なる幅及び深さの虚弱点がまた、順次に設けられる。
【００２０】
図４〜図１１は、互いに距離をあけて順次に配置された包装材料の虚弱点から成る少なくとも一つの虚弱線を有し、虚弱線の本質的に静寂かつ残留物のない破壊のための手段を設けられた、発明による包装材料のさらに他の例示の実施態様を示す。これらの例示の実施態様において、これらの手段は、同様に、包装材料の変化材料強度の虚弱点から成る。
【００２１】
図４〜図９における包装材料の実施態様により、虚弱点における包装材料の変化虚弱ゾーンは、包装材料の構造の虚弱性によって設けられる。
【００２２】
こうして、図４は、包装材料２０を示し、その虚弱線は、虚弱線の横断方向において、円弧に対応する縦プロフィル２４を有する虚弱点２２から成る。この円弧の領域において、包装材料は、最初に、わずかな程度に、それから、次第に大きな程度に、続いてもう一度、次第に小さな程度に虚弱にされ、これらの縮小強度のゾーンの間の遷移は連続である。虚弱点２２の間に、図示の如く、包装材料２０の部分であるそれぞれのウェブ２６が位置し、その厚さは、残りの包装材料の厚さに対応する。図４は、順次に配置され、ウェブ２６によって分離された虚弱点２２のみを示す。しかし、図４の一連の虚弱点２２は、左右に継続することは言うまでもない。弧状縦プロフィルを設けた虚弱点２２から成る虚弱線の本質的に静寂な破壊は、対向力が虚弱線の各側に存在する包装材料２０の部分に及ぼされる時、該包装材料の破壊は、最初に、最も激しい打出しの位置２８において行われる。各虚弱点２２の位置２８における包装材料２０の厚さの不可避な差は、時間をずらした個々の虚弱点２８の破壊につながり、その結果、虚弱点２２の本質的に静寂な残留物のない破壊が獲得される。
【００２３】
発明により、１０ミクロン超、特に、２０ミクロンの厚さを有するセロハンが、現在、包装材料として好ましい。材料の小厚に拘わらず、驚異的にも、産業生産の枠内で、セロハンを局所的に切通す危険なしに、必要な信頼性を備えて薄厚のセロハンにおいて虚弱点を作ることができることが、示された。これは、当然、衛生的に満足される方法で、外部影響に対して安全に包装されるなければならず、それにも拘わらず、できる限り静寂かつ残留物のない方法で容易に破壊することができる包装を有する、女性用生理用品のタンポン、又は菓子等の食品の如く、衛生物品の包装のために特に重要である。しかし、例えば、ポリプロピレン、ポリエチレン、高圧縮ポリエチレンとプラスチックと紙から成るラミネートの如く、従来のプラスチックとともに、生物学的に劣化性のプラスチックホイルが、この形式のパックのために使用される。
【００２４】
図５は、包装材料３０における虚弱線の縦プロフィルの修正態様を示し、この場合包装材料３０は、上側３２と下側３４において、円弧の形式におけるそれぞれの虚弱的３６と３８を設けてある。この場合、円弧の形式における虚弱点３６、３８の曲率半径は、図４と比較して小さくされ、そして虚弱点３６、３８の間に延びているウェブ４０は、例えば、正確に虚弱点３６、３８の長さにされることは、明らかである。包装材料３０の上側３２における虚弱点３６は、包装材料３０の下側３４に設けた虚弱点３８と一致するようにされ、その結果、もう一度、材料が最初に破壊される最小厚の位置４２は、これらの虚弱点３６、３８の中途に獲得される。本場合においても、円弧の形式において上側３２と下側３４においてウェブ４０の縦プロフィルを作ることが好ましく、その結果、包装材料３０の変化又は縮小強度のゾーンが、連続的に互いに併合する。
【００２５】
図６は、包装材料４６における虚弱点４４のさらに他の実施態様を示し、その上側４８において、虚弱点５０の縦プロフィルは、Ｕプロフィルに対応し、その脚５２、５４は、上側４８の方に開く鋭角を形成し、そのプロフィルウェブ５６は、脚５２、５４の高さと比較して長くされる。プロフィルウェブ５６の領域において、包装材料４６は、材料の名目厚のほぼ３分の１に対応する非常に縮小された厚さを有することは明らかである。
【００２６】
図６に類似する包装材料５８のプロフィルが、図７に見られるが、ここでは、図５に類似する方法で、包装材料５８には、その上側６０において、虚弱点６４と、その下側６２において虚弱点６６を設けられ、これらの虚弱点は、上下に一致し、包装材料５８の厚さの中途に共通プロフィルウェブ６８があり、その厚さは、包装材料の厚さのほぼ５分の１に対応する。
【００２７】
図８は、等長で、虚弱点７２の外側の包装材料７０の厚さに対応する厚さのプロフィルウェブ７４によって分離した三角形縦プロフィルの虚弱点７２を虚弱線の縦方向において順次に設けた包装材料のさらに他の実施態様を示す。この形態においても、虚弱点７２の深さは変化し、そのため、包装材料７０が、虚弱点７２における最小厚の領域において亀裂雑音と同時に破壊して開く可能性はない。包装材料７６の上側８０における虚弱点７８と下側８４における虚弱点８２を有するさらに他の包装材料７６が、図９に見られる。もう一度、虚弱点７８、８２は、上下に一致して配置され、これにより、包装材料７６の厚さの中途にプロフィルウェブ８６を形成し、その厚さは、包装材料７６から生産されたパックが亀裂雑音と同時に開放されるのを防止するために十分に異なる。
【００２８】
図１０は、ウェブとして設計された虚弱点１３６によって分離された穿孔１３４を有する虚弱線１３２を設けた包装材料１３０のさらに他の実施態様を示す。発明により、この実施態様において、虚弱線１３２の本質的に静寂な残留物のない破壊のための手段は、個々のウェブのサイズと、このため、穿孔１３４の間の各ウェブ１３６の材料厚が、異なるようにされるものである。図１０から明らかな如く、個々の穿孔１３４の間のウェブ形状虚弱点１３６の長さは、上部から下方に連続的に増大する。穿孔１３４は包装材料１３０において穴を構成するが、切れ目１３８の形式における穿孔が、図１０に簡単性のために示された如く好ましい。しかし、適切ならば、通り穴と切れ目がまた、虚弱線１３２において互いに組み合わされる。上記の如く、時間をずらした虚弱点の破壊を達成するために、ウェブのサイズが可変であることが、できる限り静寂な残留物のない虚弱線の破壊のために本質的である。しかし、穿孔は、同一次元である。
【００２９】
虚弱線の可変虚弱化の代替形態が、包装材料１４０のさらに他の例示の実施態様において図１１に示される。ここでもまた、通り穴と等長の切れ目の形式における穿孔１４２、１４４が、実施例により示される。図１０における実施態様と対照して、ここでは、穿孔１４２と１４４によって形成した虚弱線１４６と１４８は、グループＩにおけるウェブ形状虚弱点とグループＩＩにおけるウェブ形状虚弱点の２つの順次列から成る。図１１におけるウェブ形状虚弱点１５０と１５２は、それぞれ、上部から始まり、それぞれのグループＩ又はＩＩの端部まで、可変サイズに作成される。本場合に、グループＩのウェブ形状虚弱点１５０とグループＩＩのウェブ形状虚弱点１５２のサイズは、両虚弱線１４６、１４８において上部から下方に連続的に増大し、グループＩとＩＩの順次の穿孔１４２、１４４は、好ましくは、同一サイズにされる。ここでもまた、ウェブ形状虚弱点１５０の可変長又はサイズは、時間をずらした又は順次の個々の虚弱点１５０、１５２の破壊を生じさせる。というのは、小次元の虚弱点は、当然、最初に破壊され、その後、大ウェブ形状虚弱点が破壊され、その結果、包装材料１４０のこの実施態様においても、虚弱線１４６と１４８の本質的に静寂な残留物のない破壊が行われる。もちろん、図４〜図９における例示の実施態様に関して記載された如く、本場合においても、同一又は異なる穿孔を有する複数の虚弱線が、互いに隣接して配置される。
【００３０】
パックが、衛生物品、特に、女性用生理用品のタンポンのために意図されるならば、雑音のないことと包装材料の残留物のないことが、特に望ましい。この形式のパックの慎重な取扱いが、個別タンポンパックの収容のための本質的に心理学的な前提条件である。このため、図１２（ａ）〜図１２（ｅ）は、少なくとも一つの虚弱線を有し、その虚弱点において、包装材料が可変虚弱性を有する、発明による包装材料を使用するこの形式のタンポンの個別パックの例示の実施態様を示す。
【００３１】
こうして、図１２（ａ）は、ウェブ９６によって互いにそれぞれ分離された個々の直線虚弱点９４から成る虚弱線９２を有する個別パック９０を示す。虚弱点９４は、図１〜図９に示された如く、虚弱線９２の縦方向において弧状又はＵ形状に陥凹にされる。虚弱線９２は、後端９８から個別パック９０の長さの３分の１に設けてある。
【００３２】
図１２（ｂ）は、個別パック１００を示し、その虚弱線１０２は、互いに隣接して平行に位置してパターンを形成するそれぞれ同一長の直線虚弱点１０４の対が、個別タンポンパック１００の周囲に配置されることにおいてのみ、図１２（ａ）における虚弱線９２とは異なる。ウェブ１０６は、虚弱線１０２の縦方向において虚弱点１０４の対をそれぞれ分離する。
【００３３】
図１２（ｃ）は、互いに隣接して平行に位置し、ウェブ１１４によって互いに分離され、虚弱パターンを形成する、等長の３つの直線又は帯状虚弱点１１２から成る虚弱線を有する、タンポンのための個別パック１０８のさらに他の実施態様を設ける。
【００３４】
図１２（ｄ）は、個別パック１１６を示し、この場合虚弱線１１８は、ウェブ１２０によって分離された虚弱点１２２から成り、そして虚弱点は、再び、先行する例示の実施態様における如く、個別パック１１６の断面において配置されるが、螺旋パターンによりそれぞれ設計される。同時に、虚弱点１２２は、適切ならば、虚弱線１１８の周方向において隣接端部と重なり合う。虚弱線１１８の虚弱パターンのこの設計は、虚弱線１１８の迅速で本質的に静寂な残留物のない破壊につながる。
【００３５】
図１２（ｅ）は、タンポンのために個別パック１０１の例示の実施態様を示し、その虚弱線１０３は、順次の弧状虚弱点１０５ａ、１０５ｂから成るパターンを形成する。虚弱点１０５ａは、個別パック１０１の前端部１０１ａの方向に凸状な弧を形成するが、虚弱点１０５ｂは、それぞれ、個別パック１０１の後端１０１ｂの方に凸状に湾曲している。虚弱線１０３の方向において、弧状虚弱点１０５ａ、１０５ｂは、ウェブ１０５ｃによって比較的小間隔互いに離間される。弧状虚弱点１０５ａ、１０５ｂは、虚弱線１０３が破壊されている時、「柔らかい」感覚を使用者に与える。
【００３６】
この感覚はまた、図１２（ｆ）における虚弱線１０９のさらに他の実施態様によって強化される。これは、タンポンのための個別パック１０７を示し、その虚弱線１０９は、虚弱点１１１ａ、１１１ｂから成る。虚弱点１１１ａは、もう一度、個別パック１０７の前端部１０７ａの方向に凸状に湾曲されるが、虚弱点１１１ｂはまた、再び、個別パック１０７の後端部１０７ｂの方に凸状にされる。弧状虚弱点１１１ａ、１１１ｂは、個別パックの周方向において弧状虚弱点の前方と後方に位置する虚弱点の端部が、虚弱点の凸状湾曲に達するように端部で重なり合う。図１２（ｅ）と図１２（ｆ）により設計された虚弱点は、虚弱線１０３と１０９のかなり柔らかい引裂きを許容する。
【００３７】
図１２（ｇ）は、タンポンのための個別パック１１３を示し、図１２のすべての実施態様における如く、同様に、個別パックの周囲に延びている虚弱線１１５を設けてある。この実施態様において、虚弱線１１５は、個別パック１１３の周方向において互いに関してオフセットされた直線虚弱点１１７ａ、１１７ｂから成り、互いの背後に位置する直線虚弱点１１７ａ、１１７ｂの端部は、参照記号１１７ｃによって示された如く、相互に重なり合う。虚弱点１１７ａ、１１７ｂの配置はまた、形成した虚弱線のより柔らかい引裂きを許容する。
【００３８】
最後に、非常に柔らかい引裂き効果がまた、図１２（ｈ）におけるタンポンの個別パック１２４で達成され、その虚弱線１２６は、パターンを形成し、虚弱線１２６の方向においてＶ形状な虚弱点１２８から成る。本事例において、Ｖ形状虚弱点１２８の角頂点と次のＶ形状虚弱点１２８の自由端部との重なりがある。もちろん、すでに示された如く、上記の虚弱点の特定設計に拘わらず、虚弱点の相互間隔は、虚弱線のずっと静寂な破壊又は虚弱線の曲げ強度の増大又は低下が望まれるならば変化される。虚弱点を互いに連結するウェブのこの変形は、順次の虚弱点の間のウェブサイズの連続的に増大又は減少する変化から成る。さらに、もちろん、異なる設計の虚弱点を配置するか、又は順次に若しくは特定相互間隔におけるパターンの異なる配置を設けることが可能である。こうして、好ましくは、パックの虚弱線に対して、図１〜図９において示された一つ以上のプロフィルを有する虚弱点を設けることが、完全に可能である。本発明により、打出された虚弱点の領域における包装材料の構造又は穿孔の間の虚弱点を形成するウェブのサイズは、時間をずらした個々の虚弱点の破壊が、獲得され、その結果、各個別パックが、慎重に、すなわち、非常に静寂に開放され、包装材料の残留物が、包装物品、例えば、タンポン、に残されることはないことは本質的である。
【００３９】
図１３は、女性用生理用品のタンポンのための個別パック１６０を示し、パックの断面において、異なる長さのウェブ１６６によって互いに分離された直線カットの形式における穿孔１６４から成る虚弱線１６２を示し、その結果、ウェブ１６６は、個別パック１６０の開放中、各瞬間において本質的に静寂に破壊される。
【００４０】
包装材料の表面のすべり抵抗は、パックの虚弱線の破壊のための本質的な前提条件である。この必要条件を満足するために、図１４は、セロハン製の包装材料１７０の縦断面を示し、その外側１７１は、粗ラッカーの層１７２で被覆される。適切ならば、包装材料１７０の下側は、気密被覆を設けられる。
【００４１】
粗ラッカーは、クリアラッカーから成り、その粗構造は、標準無色粒子によって生ずる。セロハン表面の粗構造を生産するためのさらに他の可能性は、印刷機の乾燥段階における反応として粗ラッカーの収縮状乾燥によって与えられる。さらに、セロハン表面の粗構造は、粗ラッカーの乾燥プロセスにおける反応として針状結晶によって生ぜられる。粒子がより大きな粗度を達成するためにラッカー質量に添加される時、これらの粒子は、プラスチックから成る。セロハンの基本仕上げは、材料が包装機構において前層と後層とを熱密封される如く、２つの側面に熱密封層を塗布することを含む。標準密封ラッカーの代わりに、パックの外側を形成するセロハンの側面に密封粗ラッカーを設けることが、好ましく、これにより、粗ラッカーを密封ラッカーの層に塗布するための付加作業を節約する。図１５は、図１４による粗ラッカー１７２の層を備え、包装材料１７０から作られた、個々の虚弱点１７８から成る虚弱線１７６を有する、女性用生理用品のタンポンの個別パック１７４を示す。虚弱線１７６の両側における矢印ＡとＢは、虚弱線１７６が破壊されている時、使用者によって及ぼされる対向力を示す。矢印Ｂに割り当てられたパック１７４の部分は、タンポン（不図示）の後端部からもぎ取られ、その結果、タンポンに留められ、タンポンの後端部に対して保持された回復テープが、取り外され、タンポンから延ばされる。それから、タンポンは、後端部をつかまれ、そして矢印Ａに割り当てられたパック１７４の前部分が、除去される。指をタンポン端部に挿入することにより、タンポンは、その後、体腔に導入される。個別タンポンパック１７４の上記の取扱いは、ここで記載されたすべての個別タンポンパックに当てはまる。もちろん、開放するためのパックのこの取扱いはまた、虚弱線の両側に位置するパック部品の対向回転が、包装物品の回りに案内された虚弱線を破壊することができる限り、別の種類の包装物品のために使用される。
【００４２】
粗ラッカーから成る外側層のほかに、又は代わりに、包装材料のグリップを改良するために、図１６と図１７により、包装材料は、少なくとも部分的に機械的な浮出しを設けられる。こうして、図１６は、ノブ状高さ１８２を有する包装材料を示す。浮出しは、丸いノブ頭部１８３の形式において包装材料１８０の外面１８４において突出し、丸いくぼみ１８８が、内面１８６において対応している。
【００４３】
図１７は、包装材料１９０のさらに他の実施態様を示し、この場合、同様に、丸いノブ状高さ１９２が包装材料１９０の外面１９４から突出するが、本場合に、該高さは、包装材料１９０の内面１９８におけるじょうご状くぼみ１９６によって生成される。
【００４４】
図１８（ａ）〜図１８（ｆ）は、発明による同一虚弱線２０４を備えたいろいろな粗化パターンを有する発明による包装材料から成る個別パックを示す。女性用生理用品のタンポンのための個別パック２００が、図１８（ａ）に示され、図１６又は図１７に示された形式の機械的打出しを完全に設けられる。該図における矢印ＡとＢは、図１５における如く、再び、開放力の方向を示し、この力により、虚弱線２０４は、本質的に静寂な残留物のない方法で破壊される。個別パック２００のこの表面粗度は、タンポンのための個別パックの所望の即座の本質的に静寂で、このため、慎重な開放を許容する目立つグリップを達成することが理解される。
【００４５】
図１８（ｂ）は、包装材料がほとんど機械的打出しのない点パターン２１０の形態において、図１６又は図１７に示された形式の機械的打出しを示すが、図１８（ｃ）において、個別パック２２０の縦方向に打出し２２２が設けられ、個別パック２２０の縦方向に帯状に延びており、包装材料の平行な帯２２４によって分離され、機械的打出しは設けられない。
【００４６】
図１８（ｄ）、女性用生理用品のタンポンのための個別パック２３０を示し、この場合、互いに距離をあけて平行に螺旋状に延びていて、打出しないに中間条片によって分離された機械的打出し２３２が設けられる。
【００４７】
図１８（ｅ）により、女性用生理用品のタンポンのためのさらに他の個別パック２４０において、機械的打出しのクリアな相互に離間したスポット２４２が、本質的に同一の相互間隔において個別パック２４０の表面上に分布してある。
【００４８】
最後に、図１８（ｆ）は、女性用生理用品のタンポンのための個別パック２５０を示し、この場合、個別パック２５０の縦方向において相互間隔をあけて配置された機械的打出しの環状帯２５２を設けている。このため、包装材料の形式と厚さ、及び虚弱線２０４の設計により、図１８（ａ）による機械的打出しを包装材料に完全に設けるか、又はそうでなければ、図１８（ｂ）〜図１８（ｆ）に示された如く、この形式の機械的打出しを後者の一部領域のみに装備させることは、得策である。
【００４９】
図１９〜図２１は、包装材料において虚弱点を作るための発明による装置を示し、装置は、その外周において虚弱用歯３０２を有する円形自由回転式虚弱用ディスク３００から成る。本事例において、虚弱用歯３０２は、図１９と図２０に示された如く、円弧の形態において外側に湾曲し、虚弱用ディスク３００の周囲上に２°のピッチにおいて分布された虚弱用ナイフ縁３０４を装備している。放射状外側に湾曲した虚弱用ナイフ縁３０４の曲率半径は、例えば、５ｍｍに等しい。隣接虚弱用歯３０２の虚弱用ナイフ縁３０４が、互いに連続的に併合することは明らかであり、内空間３０６は、虚弱用ディスク３００の軸に関して円弧の形態において放射状内側に湾曲し、その内空間３０６の曲率半径は、当然、虚弱用ナイフ縁のそれよりも実質的に小さいとして計算され、例えば、０．２ｍｍに等しい。
【００５０】
図２１から、虚弱用歯３０２の外側虚弱用面３０８は、虚弱用ディスク３００の軸に平行に延びており、その結果、例えば、図１と図３に示された如く、虚弱点において平面又は湾曲底部が、包装材料の虚弱点の領域において生成されることは明らかである。各虚弱用歯３０２の横プロフィル３１０は、虚弱用ディスク３００の平行な外面３１２、３１４まで、虚弱用面３０８の外側縦縁から広がる。こうして、虚弱用歯３０２の凸状湾曲虚弱用ナイフ縁３０４に結合して、包装材料の構造の穏やかな圧縮が行われ、その間、試験により示された如く、包装材料の切通しが、少なくとも１０ミクロンの小厚に拘わらず高信頼性に防止される。
【００５１】
これへの本質的な寄与は、虚弱用ディスク３００の軸に関して円弧の形態において凹状に湾曲した内空間３０６によって隣接虚弱用歯３０２の個々の虚弱用ナイフ縁３０４において形成されたなめらかな遷移によって為される。
【００５２】
図１９〜図２１による虚弱用ディスク３００は、さらに以下に記載された虚弱用ディスクと同様に、フリーホイールローラーとして設計されたなめらかな円筒形カウンターローラー３０１と結合して使用される。カウンターローラー３０１のなめらかな表面は、好ましくは、例えば、鋼の如く、硬い材料から成り、その結果、所望の虚弱化が、セロハンの構造の部分的破壊の結果として達せられる。しかし、ある状況下で、使用された包装材料、例えば、プラスチックホイルの形式により、例えば、金属合金又はプラスチック被覆から成る柔らかい表面を有するカウンターローラー３０１がまた、考慮の対象となる。
【００５３】
図１９〜図２１において虚弱用ディスク３００を用いてセロハンウェブ３１６において本発明による虚弱線を作るためのプロセスの例示の実施態様が、図２２を参照して以下に記載され、カウンターローラー３０１は、不図示である。図１９において、虚弱用歯３０２の一つが、セロハンウェブ３１６に完全に貫通し、対応する虚弱用歯３０２によってセロハン３１６の先行する虚弱点３１８に対して以前に実施されたと同一の方法で虚弱点３１８を打出しにする。虚弱用歯３０２は、虚弱用ディスク３００の周方向において円弧の形態であるために、各虚弱用歯３０２は、セロハンウェブ３１６になめらかに貫通し、セロハンは、各虚弱用歯３０２の外側虚弱用面３０８によってその厚さのほぼ３分の１だけ圧縮されるが、切通されない。同時に、上記の如く、比較的もろいことが知られたセロハンの構造が、セロハンが空気又は異物の侵入に対してその気密性を失うことなく、部分的に破壊される。０．２〜０．５ｍｍ、好ましくは、０．３５ｍｍの各虚弱用歯の幅により、虚弱用ディスク３００の少なくとも８０ｍｍの直径とこれよりも小さなカウンターローラー３０１の直径により、満足いく打出し結果が、２〜５バーの打出し圧力が及ぼされた時達成された。
【００５４】
一方の側における包装材料の虚弱点打出しに対して、包装材料のウェブが、虚弱用ディスクとカウンターローラーの間の間隙に引き通され、虚弱用ディスクとカウンターローラーは、回転設定される。包装材料が、例えば、上記の図５、図７と図９に示された如く、両側において虚弱点打出しを設けられるならば、虚弱用ディスクとカウンターローラーを同期して駆動することが推奨される。
【００５５】
セロハンウェブ３１６の上側における虚弱点打出し３１８は、各々、虚弱点底面３２０を有し、円弧の形態における虚弱用歯３０４の異なる圧力作用の結果として、前端部においてわずかに傾斜され、これは、セロハン構造のわずかな虚弱化と破壊に対応する。明らかな如く、なめらかな遷移は、各虚弱点３１８に沿った中途の初期的に軽い打出しと最も重い又は深い打出しの間で発生する。虚弱点３１８の第２後方長さ部分において、打出しは、全く逆に、すなわち、低い打出し圧力の虚弱点３１８の縦中心における最も重い打出しから虚弱点３１８の後端部まで延びており、ここで、打出しは、セロハンウェブ３１６の非打出し表面になめらかに併合する。セロハン又は別の包装材料の形式、特に、その厚さにより、適切ならば、第１虚弱用ディスク３００に同一の第２虚弱用ディスク３００が、カウンターローラーとして設けられ、包装材料の下側に対応虚弱点打出しを設ける。この場合、２つの虚弱用ディスクの同期回転駆動が推奨される。類似の性質を有するセロハン又は他の包装材料において発明による虚弱点打出しを形成するためのすべての事象において、虚弱用歯３０２が、打出しの少なくとも直後に、なめらか又は次第に包装材料に侵入し、破壊の場合に、ある状況下で、材料の非常に細かな粒子のくずれにつながる包装材料の切通しを防止することは重要である。
【００５６】
図１〜図３に示された特に都合の良い実施態様の虚弱線２３を作製する装置の実施態様が、図２３〜図２５に示される。この装置の虚弱用ディスク３３０において、長い虚弱用歯３３２と短い虚弱用歯３３４が、その周囲長さにわたって交互に順次に配置される。長い虚弱用歯３３２と短い虚弱用歯３３４の間隔は、各場合に同一にされ、本例示実施態様において、例えば、１°に等しい。これから、２つの長い虚弱用歯３３４と２つの短い虚弱用歯３３２の間隔は、各場合に２°に等しい。本実施態様において、長い虚弱用歯３３４は、０．４５ｍｍ長であり、そして短い虚弱用歯３３４は、０．２ｍｍ長である。図２４と図２５に特に示された如く、長い虚弱用歯３３２と短い虚弱用歯３３４の両方は、放射状外側に湾曲される。長い虚弱用歯３３４の曲率半径は、２．０ｍｍに等しく、そして短い虚弱用歯３３４のそれは、０．７ｍｍに等しい。さらに、長い虚弱用歯３３２の前及び後歯面３３６、３３８は、短い虚弱用歯３３４の周囲の前及び後歯面３４０、３４２よりも小さな程度に湾曲され、その結果、長い虚弱用歯３３２の歯面３３６、３３８は、それぞれ、虚弱用ナイフ縁３４４と鈍角を形成する。これと対照して、歯面３４０、３４２は、短い虚弱用歯３３４の虚弱用ナイフ縁３４６と直角を形成する。本例示実施態様において、長い虚弱用歯３３２の前及び後歯面３３６、３３８の曲率半径は、０．４６５ｍｍに等しく、そして短い虚弱用歯３３４の前及び後歯面３４０、３４２の領域における曲率半径は、０．１５ｍｍに等しい。長い虚弱用歯３３２と短い虚弱用歯３３４の横プロフィルは、図２１のそれに対応する。同時に、各虚弱用歯３３２、３３４の外側又は作用先端面又は虚弱用面は、図２１における虚弱用面３０８により、０．３５ｍｍの幅を有する。
【００５７】
図２５は、長い虚弱用歯３３２と２つの短い虚弱用歯３３４が、それぞれ、虚弱用ナイフ縁３４４の半径のセロハンウェブ３１６に次第に侵入し、そしてセロハンウェブ３１６から再出現することを明確にする。虚弱用歯３３２、３３４の虚弱用ナイフ縁３４４、３４６の異なる長さの結果として、対応する長い又は短い虚弱点３４８、３５０が獲得され、そして図２５が明確に示す如く、長い及び短い虚弱用歯３３２、３３４は、セロハン３１６の厚さのほぼ２／３の深さまでセロハン３１６の構造を多少とも破壊するが、虚弱用ディスク３３０とは裏面側のセロハンウェブ３１６の側面３５１における構造は、完全に保存され、このため、セロハンによる物品の密封包装を許容する。
【００５８】
この虚弱用ディスク３３０の上記の効果に対して、長い虚弱用歯３３２と短い虚弱用歯３３４によって打出された虚弱点３４８、３５０が、異なることは重要である。これは、長い虚弱用歯３３２の各々の前歯縁３５２と後歯縁３５４が、虚弱用ディスク３３０に対面するセロハンウェブ３１６の表面３５６のほぼ平面におけるセロハン３１６に完全に侵入された打出し位置にあるという事実に基づく。対照して、各短い虚弱用歯３３４の前歯縁３５８と後歯縁３６０は、図２５に示された短い虚弱用歯３３４の完全侵入位置において、セロハン３１６内に位置し、図２に４１と４３で指定されたへこみを形成するように配置される。図２５が示す如く、歯縁３５８、３６０は、厚さのほぼ３分の１までセロハン３１６に侵入している。それぞれの長い虚弱用歯３３２の前及び後歯縁３５２、３５４とそれぞれの短い虚弱用歯３３４の前及び後歯縁３５８、３６０によるセロハンウェブ３１６の異なる打出しは、該歯縁の４つの侵入点において、薄い材料ウェブを有する虚弱点３４８と３５０を生成し、打出し点により形成した虚弱線の破壊中、セロハン３１６は、時間をずらした、このため、幾らか静寂な方法で破裂する。虚弱用歯３３２、３３４の異なる長さの結果として、それらの間の間隔は、上記の如く、同一に保持される。セロハン３１６が、虚弱線を破壊するために虚弱線の両側において対向力に露呈されるならば、短い虚弱用歯３３４の配置のために、長い虚弱用歯３３２の間の材料は、虚弱線の方向において引き伸ばされず、短い虚弱用歯３３４が、歯縁３５８、３６０でセロハン３１６に侵入し、材料が引裂かれる虚弱点を生成するために破裂する。これは、セロハン３１６の小残留物の擦り切れ又ははく離を防止する。
【００５９】
女性用生理用品のタンポンのためのセロハンパックの試験が行われ、図２３〜図２５による自由回転式虚弱用ディスク３３０が使用された。０．３５ｍｍの外側虚弱用面の幅を有する虚弱用歯３３２、３３４の使用により、最良結果が、セロハンと同様に自由回転式に据え付けた鋼製カウンターローラーに対して虚弱用ディスク３３０の４．０バールの空気接触圧力において獲得された。セロハンウェブは、虚弱用ディスクとカウンターローラーの間の間隙を通してストックロール（不図示）から１５０ｍ／ｍｉｎの速度において延伸された。セロハンの厚さは、２２／１００ｍｍに等しく、打出された虚弱点において、７／１０００ｍｍの材料厚が残され、パックの密封を保証する。
【００６０】
図２６と図２７は、それぞれ同一サイズと次元の虚弱用歯３７２を備えた虚弱用ディスク３７０のさらに他の実施態様を示し、それらの間に、それぞれの同一内空間３７４が、配置される。虚弱用ディスク３７０は、再び、少なくとも８０ｍｍの直径を有する。この場合、各虚弱用歯３７２は、４°の弧長にわたっている。内空間３７４は、周方向において０．３５ｍｍの長さを有する。虚弱用歯３７２は、放射状外側に凸状に湾曲した虚弱用ナイフ縁３７６を有する。各虚弱用ナイフ縁３７６は、異なるサイズの３つの湾曲部分、すなわち、中央主要部分３７８とともに前及び後端部３８０、３８２と前及び後かど部分３８４、３８６から構成される。虚弱用ナイフ縁３７８の中央主要部分３７８は、１．５ｍｍの曲率半径を有する円弧である。中央主要部分３７８は、１．５ｍｍの全長にわたって虚弱用ナイフ縁３７２の対称軸３８７の端点３８８の両側において、１．５ｍｍの曲率半径を各々有するより鋭い湾曲端部３８０、３８２まで延びている。部分３８２は、点３８９から点３９０まで延びており、後かど部分３８６から後端部３８２を分離し、その凸状湾曲は、０．１ｍｍの半径を有する。虚弱用ナイフ縁３７２の他方の端部は、相応して形状付けられる。虚弱用歯３７２の横プロフィルは、再び、図２１のそれに対応し、そして虚弱用歯３７２の外側虚弱用面は、０．２５ｍｍと０．５ｍｍ幅の間で変化する。図２３と図２４における虚弱用歯３７２の打出し効果は、図２０〜図２２の長い虚弱用歯３３２に類似するが、同一ではなく、本実施態様において、かど部分３８４、３８６が完全に丸く、このため、虚弱用歯３７２の各々が、セロハンの如く包装材料になめらかに次第に侵入し、そしてまた、虚弱用歯３７２の他方の端部により、再び同様に、包装材料を次第に離れる。
【００６１】
虚弱用ディスク４００のさらに他の実施態様が、図２８、図２９と図３０に示される。この虚弱用ディスク４００は、４°の弧長の区分を有する虚弱用歯４０２を有する。虚弱用歯４０２は、周方向に見た時、虚弱用歯４０２のほぼ長さにされたウェブ又は内空間４０４によって互いに分離される。本例示実施態様において、順次の虚弱用歯４０２の間のクリアな幅は、１．１５ｍｍに等しい。図２９から、虚弱用歯４０２の虚弱用ナイフ縁４０６が、円弧の形態に湾曲された中央主要部分４０８を有し、虚弱用ナイフ縁４０６の対称軸４１１の端部４１０からそれぞれ前かど部分４１２と後かど部分４１４まで０．３５ｍｍの長さにわたって延びていることが明らかになる。さらに他の湾曲部分が、中央主要部分４０８の前端（不指定）と後端４１６からそれぞれ前方と後方に延びており、そして前述の如く、後湾曲部分のみが指定され、これは、点４２０まで延びており、この点において、前かど部分４１２に対応する後丸かど部分４１４が始まる。前及び後かど部分４１２、４１４は、各々、０．１ｍｍの曲率半径を有する。
【００６２】
図３０は、虚弱用ディスク４００の虚弱用歯４２２の修正態様を示し、この虚弱用歯の虚弱用ナイフ縁４２４は、中央のわずかに湾曲した長さ部分４２６を有し、０．２ｍｍの曲率半径を各々を有する丸かど部分４２８、４３０が前端と後端に追従している。
【００６３】
虚弱用ディスク４００の特別な特徴は、虚弱用歯４０２と４２２と内空間又はウェブ４０４とともに外側輪郭が、完全に線侵食されることである。結果として、虚弱用ナイフ縁４０６の虚弱用面は、虚弱用ディスク４００となめらかなカウンターローラー（不図示）の間のセロハンの摩擦連結の改良と、このため、セロハンウェブの打出しの精度の向上を許容する粗度を生ずる。
【００６４】
図３１、図３２と図３３は、０．３５ｍｍの小相互間隔において配置され、３°の弧長にわたって各々延びている双対の虚弱用歯４５２、４５４を有する虚弱用ディスク４５０のさらに他の形態を示す。双対虚弱用歯４５２、４５４は、各々、０．５ｍｍの高さを有し、そして図３１に示された如く、虚弱用ディスク４５０の周方向において等長にされ、図３３により、互いに平行に配置され、中央周溝４５６によって互いに分離される。中央周溝４５６は、０．５ｍｍの幅を有するが、双対虚弱用歯４５２、４５４の外側虚弱用面は、それぞれ、０．３ｍｍに等しい。すべての他の事例において、双対虚弱用歯４５２、４５４の外側は、例えば、６０°に等しい虚弱用ディスク４５０の外側縁とテーパ角を形成する。図３２により、各双対虚弱用歯４５２、４５４は、虚弱用歯４５２、４５４の各々の対称軸４６３の端点４６２から前かど部分４６４と後かど部分４６６まで０．５ｍｍの長さにわたって延びている放射状外側に湾曲した中央主要部分４６０から成る虚弱用ナイフ縁４５８を装備している。ここでまた、主要部分４６０の前端（不図示）と後端４６８は、端部を伴い、後部のみが４７０で指定される。双対虚弱用歯４５２、４５４の前端と後端におけるこれらの端部は、１．５ｍｍの曲率半径を有する。後端部４７０の一端４７２は、０．１ｍｍの曲率半径を有する後かど部分４６６を伴う。前かど部分４６４は、対応して丸くされる。双対虚弱用歯４５２、４５４によって生成された虚弱点は、セロハン又は同様の包装材料における虚弱点によって形成された虚弱線の破壊において特別な効果を有する。特に、中央周溝４５６によって形成した非打出し中央ウェブが、双対虚弱用歯４５２、４５４の間に残るために、セロハンが虚弱点の領域において破裂する前に、補強せん断効果が虚弱点に及ぼされる。打出しの方法は、こうして、３つの先行する例示実施態様を用いて説明されたものに通ずる。双対虚弱用歯４５２、４５４は、丸いかど部分４６４、４６６でセロハンになめらか又は次第に侵入し、そして後丸端部縁でなめらかにセロハンから離れる。
【００６５】
虚弱用ディスク５００のさらに他の実施態様が、図３４〜図３６に示される。この虚弱用ディスク５００は、その外側縁において、傾斜歯５０２を装備し、図３４による個々の虚弱用歯５０４は、虚弱用ディスク５００の回転軸５０２と５５°の角度を形成する。傾斜歯５０２は、それぞれ、１°の弧長に対応する歯分割を有する。虚弱用ディスク５００の周囲にわたって測定された、各傾斜虚弱用歯５０４の長さは、０．２７ｍｍに等しい。個々の傾斜虚弱用歯５０４は、ウェブ又は内空間５０６によって互いに分離され、隣接虚弱用歯５０４の相互に対向する直歯面５１０、５１７は、９０°の角度を形成し、その結果、図３６に示された如く、各虚弱用歯５０４は、台形である。各傾斜虚弱用歯５０４の前及び後歯面５０５、５０７は、それぞれ、平坦虚弱用面５０８と鈍角を形成し、このため、比較的明白な前縁５１４と対応する明白な後縁５１６を形成する。これらの傾斜虚弱用歯５０４によって形成した虚弱点打出しは、前縁５１４と後縁５１６によるセロハンの鋭い切込みと、さらに、虚弱用ディスク５００の２つの主要側部に位置する各虚弱用歯５０４の周縁５１８、５２０の比較的強い切込みとを特徴とする。
【００６６】
図３７と図３８は、穿孔ディスクとして、刃部として設計され、周方向において等長の虚弱用歯５５２を外周に装備している虚弱用ディスク５５０を示す。しかし、発明により、ウェブ５５４が、異なる材料厚の虚弱点を形成するために虚弱用歯５５２の間に生成され、そして本例示実施態様において、この目的のために虚弱用ディスク５５０の矢印ｙの周方向において連続的に拡大され、図３７において、周方向ｙにおける最後のウェブ５５４は、最大長を有する。ウェブ５５４のこの拡大は、虚弱用ディスク５５４の周囲の４５°のみにわたっており、その結果、各４５°の順次周部分Ａは、順次に８回のウェブ５５４の同一連続拡大を有する。言い換えれば、４５°の周部分の最大ウェブの端部において、次の周部分が、再び始まり、虚弱用ディスク５５４の回転方向において最小サイズのウェブ５５４がある。虚弱用歯５５２の切込み長は各場合に同一であるために、異なるサイズのゆえに、ウェブ５５４の破壊が異なる瞬間に順次に行われ、その結果、上記の如く、ウェブ５５４は、本質的に静寂に順次に個々に破壊し、亀裂雑音に類似する突然の破壊は回避されることは明らかである。なめらかな硬い表面５６０を有し、自由回転可能なカウンターローラー５５８は、虚弱用ディスク５５０に対向して位置する。
【００６７】
図３７と図３８による例示実施態様が、穿孔装置として記載されたが、穿孔ディスク５５０はまた、単に打出しにより包装材料を虚弱化するディスクとして使用されることは言うまでもなく、また、上記の打出しディスクは、適切な包装材料が使用され、適切ならば、その表面が意図した用途のために適切な硬度を有するカウンターローラーと結合して、対応する高い押圧力が及ぼされるならば、穿孔ディスクとして使用される。しかし、この代替物は、本質的に気密性であるが、すべての場合に、包装物品を汚染から保護するパックが、望まれない又は必要でなく、このため、虚弱線の品質、例えば、パックの静寂な開放に関する厳しい要求は為されない事例において可能性を構成する。上記の虚弱用ディスクによる包装材料の穿孔の場合にも、虚弱用ディスクによって作られた虚弱線が非常に静寂に破壊されることを指摘すれば十分である。
【００６８】
本発明の主なる特徴及び態様は以下のとおりである。
【００６９】
１．包装材料から生産されたパックを開放するために、順次に距離をあけて配置された虚弱点から成る少なくとも一つ虚弱線を有する包装材料において、虚弱線（２３；９２；１０２；１１０；１１８；１２６；１３２；１４６；１４８；１６２；１７６；２０４）が、可変材料強度の虚弱点（２２；２５；２７；３６；４４；６４；６６；７２；７８；８２；１３６；１５０；１５２）を有し、その結果、虚弱線が、本質的に静寂に、包装材料（２０；２１；３０；４６；５８；７６；１３０；１４０；１７０；１９０；２０１）の残留物のない方法で破壊されることを特徴とする包装材料。
【００７０】
２．虚弱点（２５、２７；１３６；１５０；１５２）が、虚弱線の方向及び／又は横断方向において可変の次元を有することを特徴とする上記１に記載の包装材料。
【００７１】
３．虚弱点（２２；２５；２７；３６；３８）が、本質的に、最初に少なく、それから、大きく、続いて、再び少なく、虚弱線の方向と横断方向において虚弱化されることを特徴とする上記１又は２に記載の包装材料。
【００７２】
４．虚弱線の方向に位置する虚弱点（２２；２５；３６）の端部が、虚弱点の間のウェブ（２６）に次第に併合することを特徴とする上記１〜３のいずれか一つに記載の包装材料。
【００７３】
５．虚弱点（２２、２５、２７；３６）が、中央縦区分において見た時、弧状くぼみから成ることを特徴とする上記１〜４のいずれか一つに記載の包装材料。６．虚弱点（２７）の端部が、浅い本質的に垂直なへこみ（４３、４５）によって形成され、それらの間に、虚弱点（２７）の底部（４９）が延びており、該底部は縦プロフィルにおいて弧状であることを特徴とする上記１又は２に記載の包装材料。
【００７４】
７．虚弱点（４４；６４；６６）が、本質的にＵ形状の縦プロフィルを有することを特徴とする上記１又は２に記載の包装材料。
【００７５】
８．虚弱点（７２；７８）が、Ｖ形状縦プロフィルを有することを特徴とする上記１又は２に記載の包装材料。
【００７６】
９．虚弱点（３６、３８；６４、６６）が、包装材料（３０；５８；７６）の上側（３２；６０；８０）と下側（３４；６２；８４）において設けられることを特徴とする上記１〜８のいずれか一つに記載の包装材料。
【００７７】
１０．虚弱点（３６、３８；６４、６６；７８、８２）が、上側（３２、６０；８０）と下側（３４；６２；８４）において一致することを特徴とする上記９に記載の包装材料。
【００７８】
１１．虚弱線の方向において異なる長さを有する虚弱点（２５、２７）が、順次に交互に配置されることを特徴とする上記８又は９に記載の包装材料。
【００７９】
１２．同一次元のウェブ（２６；２９；４０）が、虚弱線の方向及び／又は横断方向において虚弱点（２２；２５、２７；２８；３６、３８）の間に配置されることを特徴とする上記１又は４に記載の包装材料。
【００８０】
１３．虚弱点が、虚弱パターンによって形成されることを特徴とする上記１又は２に記載の包装材料。
【００８１】
１４．虚弱点が、打出しによって形成されることを特徴とする上記１〜１３のいずれか一つに記載の包装材料。
【００８２】
１５．異なる材料強度の虚弱点（１３６；１５０、１５２）が、異なる次元のウェブによって形成されることを特徴とするウェブによって互いに分離された穿孔から成る少なくとも一つの虚弱線を設けられた上記１に記載の包装材料。
【００８３】
１６．ウェブ形状虚弱点（１３６；１５０、１５２）が、虚弱線の一方向において次第に大きく／小さくされることを特徴とする上記１５に記載の包装材料。
１７．虚弱線（１４６；１４８）が、その次元が順次に増大／減少する、虚弱点（１３６；１５０、１５２）の少なくとも２つの順次グループ（Ｉ、ＩＩ）から成ることを特徴とする上記１６に記載の包装材料。
【００８４】
１８．包装材料（１８０）の外側（１８４）が、グリップを改良するノブ形状高さ（１８２；１９２）を少なくとも部分的に設けられることを特徴とする上記１〜１７のいずれか一つに記載の包装材料。
【００８５】
１９．被覆されることを特徴とする上記１〜１８のいずれか一つに記載の包装材料。
【００８６】
２０．被覆が外側層であることを特徴とする上記１９に記載の包装材料。
【００８７】
２１．外側層が、粗ラッカー（１７２）から成ることを特徴とする上記２０に記載の包装材料。
【００８８】
２２．セロハンから成ることを特徴とする上記１〜２１のいずれか一つに記載の包装材料。
【００８９】
２３．プラスチックから成ることを特徴とする上記１〜２２のいずれか一つに記載の包装材料。
【００９０】
２４．プラスチックが、生物学的に劣化性であることを特徴とする上記２３に記載の包装材料。
【００９１】
２５．１０ミクロン厚を超えることを特徴とする上記１〜２４のいずれか一つに記載の包装材料。
【００９２】
２６．厚さが２０ミクロンに等しいことを特徴とする上記２６に記載の包装材料。
【００９３】
２７．伸長物品のための個別パックとしての使用を特徴とする上記１〜２６のいずれか一つに記載の包装材料。
【００９４】
２８．女性用生理用品のタンポンのための個別パックとしての使用を特徴とする上記２７に記載の包装材料。
【００９５】
２９．虚弱線が、回復テープを設けたタンポン後端に割り当てられた端部から個別パックの長さのほぼ３分の１の距離に設けられることを特徴とする上記２８に記載の包装材料。
【００９６】
３０．虚弱点が異なる材料強度を備えることを特徴とする、互いに分離された虚弱点を、少なくとも一つの虚弱線の少なくとも縦方向において設けられた、上記１〜２９のいずれか一つに記載の包装材料を生産するためのプロセス。
【００９７】
３１．包装材料の虚弱点の異なる虚弱化が、包装材料の厚さ及び／又は幅の異なる縮小によって生ずることを特徴とする上記３０に記載のプロセス。
【００９８】
３２．包装材料の材料厚が、連続的に変化して縮小されることを特徴とする上記３１に記載のプロセス。
【００９９】
３３．虚弱点が等相互間隔において作られることを特徴とする上記３２に記載のプロセス。
【０１００】
３４．包装材料が、可変間隔において虚弱点を設けられることを特徴とする上記３２に記載のプロセス。
【０１０１】
３５．虚弱点の間隔が、虚弱線の一方向において次第に大きく／小さくされることを特徴とする上記３４に記載のプロセス。
【０１０２】
３６．虚弱点の少なくとも２つのグループが、形成され、それらの間隔は各グループの一方の端部から他方の端部にそれぞれ増大／減少することを特徴とする上記３４又は３５に記載のプロセス。
【０１０３】
３７．虚弱点が、包装材料におけるパターンとして作られることを特徴とする上記３０〜３２のいずれか一つに記載のプロセス。
【０１０４】
３８．包装材料の可変虚弱化が、打出しにより実施されることを特徴とする上記３０〜３７のいずれか一つに記載のプロセス。
【０１０５】
３９．包装材料が可変間隔において穿孔され、そのため、可変長の結果として、ウェブが、可変材料強度の虚弱点を形成することを特徴とする、少なくとも一つの虚弱線が、包装材料を穿孔することにより作られ、ウェブが穿孔の間に虚弱点を形成する上記３０に記載のプロセス。
【０１０６】
４０．虚弱用部材（３３２、３３４；３７２；４０２；４２２；５０４；５５２）をその外側縁において設けられた回転円形虚弱用ディスク（３００；３３０；３７０；４００；４５０；４８０；５００；５５０）を具備し、虚弱用ディスクが、包装材料の走行方向において回転可能に配置され、包装材料が少なくとも一つの虚弱線を作るために通過される間隙を虚弱用ディスクにより形成するカウンターローラー（３０１；５５８）を割り当てられることを特徴とする上記１〜３０のいずれか一つに記載の包装材料を生産し、かつ上記３１〜３９のいずれか一つに記載のプロセスを実施するための装置。
【０１０７】
４１．虚弱用ディスクとカウンターローラーが、各々、自由回転可能に据え付けられることを特徴とする上記４０に記載の装置。
【０１０８】
４２．虚弱用ディスクとカウンターローラーが、駆動モーターにより同期して駆動されることを特徴とする上記４０に記載の装置。
【０１０９】
４３．虚弱用部材が、虚弱用歯（３０２；３３２；３３４；３７２；４０２；４２２；５０４；５５２）から成ることを特徴とする上記４０に記載の装置。
【０１１０】
４４．虚弱用歯の虚弱用ナイフ縁（３０４；３４４；３４６；３７６；４２４；４５８；４８２；５０８）が、虚弱用ディスクの軸に関して放射状外側に弧状に湾曲される虚弱用面（３０８；５１０）を有することを特徴とする上記４３に記載の装置。
【０１１１】
４５．虚弱用歯（３０２；３３２、３３４）の虚弱用ナイフ縁（３０４；３４４、３４６）が、同一曲率半径を有する円弧の形態においてそれぞれ外側に湾曲することを特徴とする上記４４に記載の装置。
【０１１２】
４６．虚弱用歯（３３２、３３４；３７２；４０２；４２２）の各虚弱用ナイフ縁（３７６；４２４；４５８）の弧状湾曲が、異なる半径を有する複数の円弧から成ることを特徴とする上記４５に記載の装置。
【０１１３】
４７．虚弱用ディスク（３７０；４００；４５０）の周方向において前方と後方にある虚弱用ナイフ縁の端部（３８０、３８２；４１２、４１４；４６４、４６６）が、虚弱用歯の前及び後歯面の方に丸く（４８４、３８６；４１２、４１４；４２８、４３０）されることを特徴とする上記４４〜４６のいずれか一つに記載の装置。
【０１１４】
４８．長い虚弱用歯（３３２）と短い虚弱用歯（３３４）が、虚弱用ディスク（３３０）の周方向において異なる曲率半径の虚弱用ナイフ縁（３４４；３４６）を設けられることを特徴とする上記４３又は４４のいずれか一つに記載の装置。
【０１１５】
４９．長い虚弱用歯（３３２）の虚弱用ナイフ縁（３４４）の曲率半径が、短い虚弱用歯（３３４）の曲率半径よりも大きくされることを特徴とする上記４８に記載の装置。
【０１１６】
５０．虚弱用歯（３７０；４００；４５０）の弧状内空間（３７４；４０４；５５４）が、各々、虚弱用ディスクの軸に関して放射状内側に湾曲されることを特徴とする上記４５に記載の装置。
【０１１７】
５１．虚弱用ナイフ縁と内空間の曲率半径が、それぞれ、１ｍｍと０．２ｍｍに等しいことを特徴とする上記４３〜５０のいずれか一つに記載の装置。
【０１１８】
５２．虚弱用ナイフ縁（３０４；３４４、３４６；３７６；４２４；４５８；４８２；５０８）の虚弱用面が、０．２〜０．５ｍｍ幅であることを特徴とする上記４３〜５１のいずれか一つに記載の装置。
【０１１９】
５３．虚弱用面が０．３５ｍｍ幅であることを特徴とする上記５２に記載の装置。
【０１２０】
５４．虚弱用歯（５５２）が、虚弱用ディスク（５５０）の周方向（ｙ）において次第に拡大／縮小した内空間（５５４）によって互いに分離されることを特徴とする上記４０〜５３のいずれか一つに記載の装置。
【０１２１】
５５．虚弱用ディスクの各虚弱用歯の長さが同一にされることを特徴とする上記４０に記載の装置。
【０１２２】
５６．虚弱用歯（５５２）の少なくとも２つのグループが、虚弱用ディスク（５５０）の等長の周部分（Ａ）において虚弱用ディスク（５５０）の周方向（ｙ）においてそれぞれ次第に大きく／小さくなる相互間隔（５５４）で配置されることを特徴とする上記５４又は５５のいずれか一つに記載の装置。
【０１２３】
５７．虚弱用歯が、共通包絡円において位置することを特徴とする上記４０〜５６のいずれか一つに記載の装置。
【０１２４】
５８．虚弱用ディスク（３００；３３０；３７０；４００；４５０；５００）が、異なる材料強度の虚弱点を打ち出すための打出しディスクとして設計されることを特徴とする上記４０〜５７のいずれか一つに記載の装置。
【０１２５】
５９．虚弱用ディスク（５５０）が、異なる材料強度の虚弱点としてウェブを形成するために、種々の間隔において包装材料を穿孔するための穿孔ディスクとして設計されることを特徴とする上記４０〜５８のいずれか一つに記載の装置。６０．支持部材が、なめらかな表面を有するカウンターローラー（３０１；５５８）であることを特徴とする上記４０に記載の装置。
【０１２６】
６１．カウンターローラー（３０１；５５８）が、硬い金属表面を有することを特徴とする上記６０に記載の装置。
【０１２７】
６２．カウンターローラー（３０１；５５８）が、弾性変形可能な表面を有することを特徴とする上記６１に記載の装置。
【０１２８】
６３．カウンターローラー（３０１；５５８）の表面がプラスチックから成ることを特徴とする上記６０〜６２のいずれか一つに記載の装置。
【０１２９】
６４．カウンターローラーがフリーホイールローラーであることを特徴とする上記４０〜６３のいずれか一つに記載の装置。
【図面の簡単な説明】
【図１】発明による虚弱線を有する包装材料の部分の斜視図である。
【図２】図１において切断線ＩＩ−ＩＩに沿った縦断面図である。
【図３】図１において切断線ＩＩ−ＩＩに沿った断面図である。
【図４】可変縦プロフィルの虚弱点を有する包装材料の虚弱線を通った縦断面図である。
【図５】可変縦プロフィルの虚弱点を有する包装材料の虚弱線を通った縦断面図である。
【図６】可変縦プロフィルの虚弱点を有する包装材料の虚弱線を通った縦断面図である。
【図７】可変縦プロフィルの虚弱点を有する包装材料の虚弱線を通った縦断面図である。
【図８】可変縦プロフィルの虚弱点を有する包装材料の虚弱線を通った縦断面図である。
【図９】可変縦プロフィルの虚弱点を有する包装材料の虚弱線を通った縦断面図である。
【図１０】可変サイズのウェブによって互いに分離された穿孔から成る虚弱線を有する包装材料の頂面図である。
【図１１】可変サイズのウェブによって互いに分離された穿孔から成る虚弱線を有する包装材料の頂面図である。
【図１２】可変虚弱パターンから成る虚弱線を有する、女性用生理用品のタンポンの個別パックの絵画表現図である。
【図１３】図１０の右側において虚弱線を有する、女性用生理用品のタンポンのための個別パックの図である。
【図１４】粗ラッカーから成る外側層を有する包装材料の縦断面図である。
【図１５】図１４による包装材料から成る女性用生理用品のタンポンの個別パックの図である。
【図１６】機械的打出しを有する包装材料の断面図である。
【図１７】機械的打出しを有する包装材料の断面図である。
【図１８】多様な機械的打出しパターンを有する、女性用生理用品のタンポンの個別パターンの絵画表現図である。
【図１９】虚弱用ディスクの第１実施態様の部分図である。
【図２０】図１９における詳細Ｘの拡大図である。
【図２１】包装材料の異なる虚弱化が種々の虚弱用歯により概略的に示された図２０の拡大図である。
【図２２】虚弱用ディスクのさらに他の実施態様の部分図である。
【図２３】図２２の虚弱用ディスクの虚弱用歯の拡大図である。
【図２４】カウンターローラーを備えた図２３における切断線ＸＸＩＶ−ＸＸＩＶに沿った断面の部分的に切欠き図である。
【図２５】図２２による虚弱用ディスクによる包装材料における虚弱線の生成の絵画図である。
【図２６】虚弱用ディスクのさらに他の実施態様の部分図である。
【図２７】図２６の詳細Ｘの拡大図である。
【図２８】図２８の詳細Ｘの拡大図である。
【図２９】図２８の詳細Ｘの拡大図である。
【図３０】図２８の切断線ＸＸＸ−ＸＸＸに沿った断面図である。
【図３１】虚弱用ディスクのさらに他の実施態様の部分図である。
【図３２】図３１の詳細Ｘの拡大図である。
【図３３】図３１の詳細Ｘの別の実施態様の図である。
【図３４】虚弱用ディスクのさらに他の実施態様の部分図である。
【図３５】図３４の矢印Ａによる斜角虚弱用歯先端の頂面図である。
【図３６】図３４の詳細Ｘの拡大図である。
【図３７】カウンターローラーによる虚弱用ディスクのさらに他の実施態様の部分的切欠き図である。
【図３８】図３７の切欠きＡの拡大図である。
【符号の説明】
２０  包装材料
２１  包装材料
２２  虚弱点
２３  虚弱線
２４  縦プロフィル
２５  虚弱点
２６  ウェブ
２７  虚弱点
２８  虚弱点
２９  ウェブ
３０  包装材料
３１  上側
３２  上側
３３  下側
３４  下側
３５  縦プロフィル
３６  円弧の形態における虚弱点
３７  端部
３８  円弧の形態における虚弱点
３９  端部
４０  ウェブ
４１  縦プロフィル
４２  最小厚の位置
４３  へこみ
４４  虚弱点
４５  へこみ
４６  包装材料
４７  横プロフィル
４８  上側
４９  底部
５０  虚弱点
５１  側壁
５２  Ｕプロフィルの脚
５３  側壁
５４  Ｕプロフィルの脚
５６  プロフィルウェブ
５８  包装材料
６０  上側
６２  下側
６４  虚弱点
６６  虚弱点
６８  プロフィルウェブ
７２  虚弱点
７４  プロフィルウェブ
７６  包装材料
７８  虚弱点
８０  上側
８２  虚弱点
８４  下側
８６  虚弱点
９０  個別パック
９２  虚弱線
９４  虚弱点
９６  ウェブ
９８  個別パックの後端
１００  個別パック
１０１  個別パック
１０１ａ  前端
１０１ｂ  後端
１０２  虚弱線
１０３  虚弱線
１０４  虚弱点の対
１０５ａ  虚弱点
１０５ｂ  虚弱点
１０５ｃ  ウェブ
１０６  ウェブ
１０７  個別パック
１０７ａ  前端
１０７ｂ  後端
１０８  個別パック
１０９  虚弱線
１１０  虚弱線
１１１ａ  虚弱点
１１１ｂ  虚弱点
１１２  虚弱点
１１３  個別パック
１１４  ウェブ
１１５  虚弱線
１１６  個別パック
１１７ａ  直線虚弱点
１１７ｂ  直線虚弱点
１１７ｃ  オーバーラップ
１１８  虚弱線
１２０  ウェブ
１２２  虚弱点
１２４  個別パック
１２６  虚弱線
１２８  虚弱点
１３０  包装材料
１３２  虚弱線
１３４  穿孔
１３６  ウェブ
１３８  切込み線
１４０  包装材料
１４２  穿孔
１４４  穿孔
１４６  虚弱線
１４８  虚弱線
１５０  ウェブ形状虚弱点
１５２  ウェブ形状虚弱点
１６０  個別パック
１６２  虚弱線
１６４  穿孔
１６６  ウェブ
１７０  包装材料
１７１  外側
１７２  粗ラッカー／粗ラッカーの層の外側層
１７４  個別パック
１７６  虚弱線
１７８  虚弱点
１８０  包装材料
１８２  打出し
１８３  ノブ頭部
１８４  包装材料の外側
１８６  ノブ頭部の内側
１８８  くぼみ
１９０  包装材料
１９２  丸いノブ形状高さ
１９４  外側
１９６  じょうご状くぼみ
１９８  包装材料の内側
２００  個別パック
２０２  機械的打出し／虚弱線
２０４  虚弱線
２１０  スポットパターン
２２０  個別パック
２２２  帯状打出し
２２４  帯
２３０  個別パック
２３２  機械的打出し
２４０  個別パック
２４２  スポット
２５０  個別パック
２５２  機械的打出し
３００  虚弱用ディスク
３０１  カウンターローラー
３０２  虚弱用歯
３０４  虚弱用ナイフ縁
３０６  円弧の形態における内空間
３０８  外側虚弱用面
３１０  虚弱用歯プロフィル
３１２  外面
３１４  外面
３１６  セロハンウェブ
３１８  虚弱点
３２０  虚弱点底部
３３０  虚弱用ディスク
３３１  カウンターローラー
３３２  長い虚弱用歯
３３４  短い虚弱用歯
３３６  前後歯面
３３８  前後歯面
３４０  前後歯面
３４２  前後歯面
３４４  虚弱用ナイフ縁
３４６  虚弱用ナイフ縁
３４８  虚弱点打出し
３５０  虚弱点打出し
３５２  長い虚弱用歯の前歯縁
３５４  長い虚弱用歯の後歯縁
３５６  セロハンの表面
３５８  短い虚弱用歯の前歯縁
３６０  短い虚弱用歯の後縁
３７０  虚弱用ディスク
３７２  虚弱用歯
３７４  内空間
３７６  虚弱用ナイフ縁
３７８  中央主要部分
３８０  前端部
３８２  後端部
３８４  前かど部分
３８６  後かど部分
３８９  点
３９０  点
４００  虚弱用ディスク
４０２  虚弱用歯
４０４  内空間
４０６  虚弱用ナイフ縁
４０８  主要部分
４１０  端点
４１２  前かど部分
４１４  後かど部分
４１６  後端
４１８  後曲線部分
４２０  点
４２２  虚弱用歯
４２４  虚弱用ナイフ縁
４２６  縦部分
４２８  丸かど部分
４３０  丸かど部分
４５０  虚弱用ディスク
４５２  双対虚弱用歯
４５４  双対虚弱用歯
４５６  周溝
４５８  虚弱用ナイフ縁
４６０  主要部分
４６２  端点
４６４  前かど部分
４６６  後かど部分
４６８  後端
４７０  後端部
４７２  後部の端部
５００  虚弱用ディスク
５０１  回転軸
５０２  傾斜歯
５０４  虚弱用歯
５０６  内空間
５０８  虚弱用面
５１０  歯面
５１２  歯面
５１４  明白な前縁
５１６  明白な後縁
５１８  周縁
５２０  周縁
５５０  虚弱用ディスク
５５２  虚弱用歯
５５４  ウェブ
５５８  カウンターローラー
５６０  表面（カウンターローラー）
Ａ      周囲部分
【図１】
0003565883.tif 000002
【図２】
0003565883.tif 000003
【図３】
0003565883.tif 000004
【図４】
0003565883.tif 000005
【図５】
0003565883.tif 000006
【図６】
0003565883.tif 000007
【図７】
0003565883.tif 000008
【図８】
0003565883.tif 000009
【図９】
0003565883.tif 000010
【図１０】
0003565883.tif 000011
【図１１】
0003565883.tif 000012
【図１２】
0003565883.tif 000013
【図１３】
0003565883.tif 000014
【図１４】
0003565883.tif 000015
【図１５】
0003565883.tif 000016
【図１６】
0003565883.tif 000017
【図１７】
0003565883.tif 000018
【図１８】
0003565883.tif 000019
【図１９】
0003565883.tif 000020
【図２０】
0003565883.tif 000021
【図２１】
0003565883.tif 000022
【図２２】
0003565883.tif 000023
【図２３】
0003565883.tif 000024
【図２４】
0003565883.tif 000025
【図２５】
0003565883.tif 000026
【図２６】
0003565883.tif 000027
【図２７】
0003565883.tif 000028
【図２８】
0003565883.tif 000029
【図２９】
0003565883.tif 000030
【図３０】
0003565883.tif 000031
【図３１】
0003565883.tif 000032
【図３２】
0003565883.tif 000033
【図３３】
0003565883.tif 000034
【図３４】
0003565883.tif 000035
【図３５】
0003565883.tif 000036
【図３６】
0003565883.tif 000037
【図３７】
0003565883.tif 000038
【図３８】
0003565883.tif 000039